(57)【要約】【課題】臭気を良好に除去し得る脱臭システムおよび脱臭方法を提供する。【解決手段】加湿器と、加湿器で加湿された臭気成分含有気体を流動させる気体流動装置と、気体流動装置で流動させた加湿済みの臭気成分含有気体に電磁波を照射する電磁波発振部と、電磁波発振部に交流電流を流す交流電流発生器とを有する電磁波発生装置とを備える、脱臭システム。臭気成分含有気体を加湿する工程と、加湿された臭気成分含有気体を流動させる工程と、流動している加湿済みの臭気成分含有気体に対し、交流電流を用いて発生させた電磁波を照射する工程とを含む、脱臭方法。【選択図】図１
2020195744.tif 000002
【特許請求の範囲】
【請求項１】
加湿器と、
前記加湿器で加湿された臭気成分含有気体を流動させる気体流動装置と、
前記気体流動装置で流動させた加湿済みの臭気成分含有気体に電磁波を照射する電磁波発振部と、前記電磁波発振部に交流電流を流す交流電流発生器とを有する電磁波発生装置と、
を備える、脱臭システム。
【請求項２】
前記気体流動装置が、気体の吸込口および吐出口と、前記吸込口と前記吐出口とを連結する流路とを有し、
前記電磁波発振部が、前記流路に巻き回されたコイルよりなる、請求項１に記載の脱臭システム。
【請求項３】
前記気体流動装置が、気体の吸込口および吐出口を有し、
前記電磁波発振部が、環状に折り曲げたケーブルまたはケーブルコイルよりなり、
前記吐出口から吐出された加湿済みの臭気成分含有気体が、前記電磁波発振部の内周側を通過する、請求項１に記載の脱臭システム。
【請求項４】
臭気成分含有気体を加湿する工程と、
加湿された臭気成分含有気体を流動させる工程と、
流動している加湿済みの臭気成分含有気体に対し、交流電流を用いて発生させた電磁波を照射する工程と、
を含む、脱臭方法。
【発明の詳細な説明】
【技術分野】
【０００１】
本発明は、脱臭システムおよび脱臭方法に関するものである。
【背景技術】
【０００２】
従来、臭気成分などの有害成分を含む排気ガスを浄化する技術として、周波数が４ｋＨｚ〜２５ｋＨｚの交流電流を用いて発生させた電磁波により処理された電磁波処理水を噴霧することで排ガスを浄化する技術が知られている（例えば、特許文献１参照）。
【先行技術文献】
【特許文献】
【０００３】
【特許文献１】特開２０１３−１６７１６０号公報
【発明の概要】
【発明が解決しようとする課題】
【０００４】
しかし、予め電磁波処理を施した電磁波処理水を噴霧することにより脱臭を行う上記従来の技術には、脱臭性能を更に高め、臭気を良好に除去するという点において改善の余地があった。
【０００５】
そこで、本発明は、臭気を良好に除去し得る脱臭システムおよび脱臭方法を提供することを目的とする。
【課題を解決するための手段】
【０００６】
この発明は、上記課題を有利に解決することを目的とするものであり、本発明の脱臭システムは、加湿器と、前記加湿器で加湿された臭気成分含有気体を流動させる気体流動装置と、前記気体流動装置で流動させた加湿済みの臭気成分含有気体に電磁波を照射する電磁波発振部と、前記電磁波発振部に交流電流を流す交流電流発生器とを有する電磁波発生装置とを備えることを特徴とする。このように、加湿器、気体流動装置および電磁波発生装置を設け、流動させた加湿済みの臭気成分含有気体を電磁波処理すれば、臭気を良好に除去することができる。
【０００７】
ここで、本発明の脱臭システムは、前記気体流動装置が、気体の吸込口および吐出口と、前記吸込口と前記吐出口とを連結する流路とを有し、前記電磁波発振部が、前記流路に巻き回されたコイルよりなることが好ましい。気体流動装置の吸込口と吐出口とを連結する流路に巻き回されたコイルを電磁波発振部とすれば、簡素な構成で加湿済みの臭気成分含有気体を良好に電磁波処理し、臭気を良好に除去することができる。
【０００８】
また、本発明の脱臭システムは、前記気体流動装置が、気体の吸込口および吐出口を有し、前記電磁波発振部が、環状に折り曲げたケーブルまたはケーブルコイルよりなり、前記吐出口から吐出された加湿済みの臭気成分含有気体が、前記電磁波発振部の内周側を通過することが好ましい。環状に折り曲げたケーブルまたはケーブルコイルよりなる電磁波発振部の内周側に気体流動装置の吐出口から吐出された加湿済みの臭気成分含有気体を通過させれば、簡素な構成で加湿済みの臭気成分含有気体を良好に電磁波処理し、臭気を良好に除去することができる。
【０００９】
更に、この発明は、上記課題を有利に解決することを目的とするものであり、本発明の脱臭方法は、臭気成分含有気体を加湿する工程と、加湿された臭気成分含有気体を流動させる工程と、流動している加湿済みの臭気成分含有気体に対し、交流電流を用いて発生させた電磁波を照射する工程とを含むことを特徴とする。このように、加湿された臭気成分含有気体を流動させ、流動している加湿済みの臭気成分含有気体を電磁波処理すれば、臭気を良好に除去することができる。
【発明の効果】
【００１０】
本発明によれば、臭気を良好に除去することができる。
【図面の簡単な説明】
【００１１】
【図１】本発明に従う脱臭システムの一例の概略構成を示す図である。
【図２】本発明に従う脱臭システムの他の例の概略構成を示す図である。
【図３】本発明に従う脱臭システムの別の例の概略構成を示す図である。
【図４】実施例および比較例において脱臭処理を行った際の硫化水素濃度の経時変化を示すグラフである。
【発明を実施するための形態】
【００１２】
以下、本発明の実施の形態を、図面に基づき詳細に説明する。なお、各図において、同一の符号を付したものは、同一の構成要素を示すものとする。
【００１３】
ここで、本発明の脱臭システムおよび脱臭方法は、特に限定されることなく、例えば、家屋の室内、宿泊施設の客室内、会議室内、下水処理場の建物内などの閉空間内を脱臭する際に好適に用いることができる。また、本発明の脱臭システムおよび脱臭方法で除去される臭気成分としては、特に限定されることなく、硫化水素、アンモニア、メチルメルカプタン等が挙げられる。
【００１４】
（脱臭システム）
そして、本発明の脱臭システムは、加湿器と、加湿器で加湿された臭気成分含有気体を流動させる気体流動装置と、気体流動装置で流動させた加湿済みの臭気成分含有気体に電磁波を照射する電磁波発振部および電磁波発振部に交流電流を流す交流電流発生器を有する電磁波発生装置とを備えることを特徴とする。このように、加湿器、気体流動装置および電磁波発生装置を有していれば、流動させた加湿済みの臭気成分含有気体を電磁波処理し、臭気を良好に除去することができる。
【００１５】
なお、本発明の脱臭システムにおいて、交流電流発生器としては、特に限定されることなく、例えば特開２０１１−２５５３４５号公報や特開２０１３−１６７１６０号公報に記載の装置や、株式会社サイライズ製の「ウォーター・ウォッチャー」などを用いることができる。中でも、交流電流発生器としては、周波数が時間的に変化する方形波またはサイン波などの交流電流を発生させる交流電流発生器、並びに、単一周波数の交流電流または互いに周波数の異なる２つ以上の単一周波数の交流電流を発生させる交流電流発生器を用いることが好ましく、単一周波数の交流電流または互いに周波数の異なる２つ以上の単一周波数の交流電流を発生させる交流電流発生器を用いることがより好ましい。
また、本発明の脱臭システムにおいて、交流電流発生器が発生する交流電流の周波数は、特に限定されることなく、例えば１０Ｈｚ以上１ＭＨｚ以下とすることができる。更に、電磁波発生装置が発生させる電磁波の磁束密度は、１０ｍＧ以上とすることが好ましい。なお、磁束密度は、電磁波発振機構の電磁波発振部を構成するケーブル上で測定することができる。
【００１６】
そして、本発明の脱臭システムの一例は、図１に示すように、閉空間Ｓ内の脱臭に用いられるものであり、加湿器１と、気体流動装置としてのエアサーキュレーター２と、電磁波発振部３１および交流電流発生器３２を有する電磁波発生装置３とを備えている。
【００１７】
また、電磁波発生装置３の電磁波発振部３１は、エアサーキュレーター２の吸込口２１および吐出口２２を連結する流路２３の外周にケーブルを巻き回して形成したケーブルコイルで構成されている。
【００１８】
そして、図１に示す脱臭システムでは、閉空間Ｓ内の臭気成分含有気体を加湿器１で加湿した後、加湿された臭気成分含有気体を閉空間Ｓ内においてエアサーキュレーター２を介して流動させることができる。また、図１に示す脱臭システムでは、加湿された臭気成分含有気体を流動させる際に、交流電流発生器３２から電磁波発振部３１に交流電流を流すことで、エアサーキュレーター２内を通過する加湿された臭気成分含有気体に電磁波を照射し、臭気成分を良好に除去することができる。なお、図１に示す脱臭システムでは、エアサーキュレーター２の流路２３の外周にケーブルを巻き回して電磁波発振部３１としているので、簡素な構成で臭気成分含有気体の電磁波処理を行うことができる。
【００１９】
なお、図１に示す脱臭システムでは、気体流動装置としてエアサーキュレーター２を用いたが、気体流動装置としては、閉空間Ｓ内で気体を十分に流動させることができれば特に限定されることなく、例えば図２に示すような、送風ダクトを有する送風機２などを用いることもできる。そして、この場合、電磁波発振部３１は、加湿された臭気成分含有気体が流れる流路２３の一部を構成する送風ダクトの外周にケーブルを巻き回して形成したケーブルコイルとし得る。
【００２０】
また、図１，２に示す脱臭システムでは、加湿器と気体流動装置との双方を用いたが、本発明の脱臭システムでは、例えば図３に示すように、加湿機能と送風機能とを兼ね備える気化式冷風機４を加湿器および気体流動装置として用いてもよい。ここで、気化式冷風機４は、吸込口４１から吸い込んだ気体を加湿した後に吐出口４２から吐出する装置である。
【００２１】
更に、図１，２に示す脱臭システムでは、気体流動装置の流路の外周にケーブルを巻き回して電磁波発振部３１としてのケーブルコイルを形成したが、本発明の脱臭システムでは、例えば図３に示すように、電磁波発振部３１を気体流動装置とは別個に設けてもよい。具体的には、電磁波発振部３１は、気体流動装置としての気化式冷風機４の吐出口４２から吐出された加湿済みの臭気成分含有気体が内周側を通過するように配置された、環状に折り曲げたケーブルまたはケーブルコイルであってもよい。なお、図３において、環状に折り曲げたケーブルまたはケーブルコイルは、ケーブルで囲まれた領域が吐出口４２に対向する位置に、図示しない固定装置を用いて固定されている。
このように、環状に折り曲げたケーブルまたはケーブルコイルよりなる電磁波発振部の内周側に気体流動装置の吐出口から吐出された加湿済みの臭気成分含有気体を通過させるようにしても、簡素な構成で加湿済みの臭気成分含有気体を良好に電磁波処理することができる。
【００２２】
なお、図３では、ケーブルを四角環状に折り曲げた場合を示したが、ケーブルは、円環状、四隅に位置する角部のうちの一つ以上を丸くした四角環状、四角の四辺のうちの一辺以上を屈曲させた多角環状などの任意の環状に折り曲げることができる。具体的には、ケーブルは、例えば特開２０１７−０４７３８９号公報の図３（ｂ）〜（ｄ）に示すような形状に折り曲げることができる。
【００２３】
（脱臭方法）
また、本発明の脱臭方法は、例えば上述した本発明の脱臭システムを用いて実施することができ、臭気成分含有気体を加湿する工程と、加湿された臭気成分含有気体を流動させる工程と、流動している加湿済みの臭気成分含有気体に対し、交流電流を用いて発生させた電磁波を照射する工程とを含むことを特徴とする。このように、流動している加湿済みの臭気成分含有気体を電磁波処理すれば、臭気を良好に除去することができる。
【００２４】
以上、本発明の脱臭システムおよび脱臭方法について説明したが、本発明の脱臭システムおよび脱臭方法は上述した内容に限定されるものではない。
【実施例】
【００２５】
以下、本発明について実施例を用いて更に詳細に説明するが、本発明はこれら実施例に限定されるものではない。
【００２６】
（実施例１）
排気スイッチをオフにしたドラフトチャンバー内に、スチーム式加湿器（山善製）と、エアサーキュレーター（山善製）とを設置した。そして、エアサーキュレーターの吸込口と吐出口との間に位置する流路の外周にケーブルを巻き回し、ケーブルコイルを形成した。また、ケーブルを交流電流発生器としてのウォーター・ウォッチャー（サイライズ製、ＨＰ型）に接続し、電磁波発生装置を構成した。
次に、臭気成分として硫化水素（Ｈ2Ｓ）を濃度が０．５ｐｐｍとなるようにドラフトチャンバー内に導入し、ドラフトチャンバーのガラス窓を閉めた。そして、スチーム式加湿器、エアサーキュレーターおよびウォーター・ウォッチャーのスイッチを入れて脱臭処理を行い、ドラフトチャンバー内の硫化水素濃度の経時変化を測定した。結果を図４に示す。なお、脱臭処理の開始後、約１０分でドラフトチャンバー内の湿度は１００％となり、ドラフトチャンバー内の壁面に水滴が発生した。
【００２７】
（比較例１）
エアサーキュレーターの流路の外周に替えてスチーム式加湿器本体の外周にケーブルを巻き回してケーブルコイルを形成した（即ち、電磁波処理した水を気化させて加湿した）以外は実施例１と同様にして脱臭処理を行い、ドラフトチャンバー内の硫化水素濃度の経時変化を測定した。結果を図４に示す。
【００２８】
（比較例２）
ウォーター・ウォッチャーのスイッチを入れなかった以外は実施例１と同様にして脱臭処理を行い、ドラフトチャンバー内の硫化水素濃度の経時変化を測定した。結果を図４に示す。
【００２９】
（比較例３）
スチーム式加湿器およびウォーター・ウォッチャーのスイッチを入れなかった以外は実施例１と同様にして脱臭処理を行い、ドラフトチャンバー内の硫化水素濃度の経時変化を測定した。結果を図４に示す。
【００３０】
図４より、実施例１では、比較例１〜３と比較し、短時間で硫化水素濃度を十分に低下させ、臭気を良好に脱臭し得ることが分かる。なお、予め電磁波処理した水を気化させる比較例１よりも実施例１の脱臭性能が高くなる理由は、明らかではないが、液状の水よりも水蒸気の方が良好に電磁波処理され易いからであると思料される。
【産業上の利用可能性】
【００３１】
本発明の脱臭システムおよび脱臭方法によれば、臭気を良好に除去することができる。
【符号の説明】
【００３２】
１  加湿器
２  エアサーキュレーター，送風機
２１  吸込口
２２  吐出口
２３  流路
３  電磁波発生装置
３１  電磁波発振部
３２  交流電流発生器
４  気化式冷風機
４１  吸込口
４２  吐出口
Ｓ  閉空間
【図１】
2020195744.tif 000003
【図２】
2020195744.tif 000004
【図３】
2020195744.tif 000005
【図４】
2020195744.tif 000006